(57)【特許請求の範囲】
【請求項１】
家畜の床敷として使用する敷料であって、
バーク堆肥と、木炭と、食酢又は食塩を含む調味用原液に梅干を漬けた後の調味液とを配合してなることを特徴とする敷料。
【請求項２】
前記バーク堆肥６０〜９０体積％と、前記木炭１０〜３０体積％と、前記調味液１〜１０体積％とを配合してなることを特徴とする請求項１に記載された敷料。
【請求項３】
弱アルカリ性低張性温泉水をさらに配合してなることを特徴とする請求項１に記載された敷料。
【請求項４】
家畜の床敷として使用する敷料の製造方法であって、
バーク堆肥６０〜９０体積％と、木炭１０〜３０体積％とを配合し、１〜３ヶ月の間予備発酵させる第１の工程と、
該第１の工程で予備発酵させた配合物を、５０〜８０℃で、８〜２４時間攪拌して一次発酵させる第２の工程と、
該第２の工程で一次発酵させた配合物を、常温で３〜１２ヶ月の間二次発酵させる第３の工程と、
該第３の工程で二次発酵させた配合物と、食酢又は食塩を含む調味用原液に梅干を漬けた後の調味液１〜１０体積％とを配合し攪拌する第４の工程と
を含むことを特徴とする敷料の製造方法。
【請求項５】
家畜の床敷として使用する敷料と家畜糞とを配合した堆肥において、
前記敷料は、バーク堆肥６０〜９０体積％と、木炭１０〜３０体積％と、食酢又は食塩を含む調味用原液に梅干を漬けた後の調味液１〜１０体積％とを配合してなる敷料であることを特徴とする堆肥。
【請求項６】
前記敷料５０〜８０体積％と、前記家畜糞２０〜５０体積％とを配合してなることを特徴とする請求項５に記載された堆肥。
【請求項７】
堆肥の製造方法であって、
バーク堆肥６０〜９０体積％と、木炭１０〜３０体積％と、食酢又は食塩を含む調味用原液に梅干を漬けた後の調味液１〜１０体積％とを配合してなる敷料を家畜の床敷として使用して、前記敷料と家畜糞とを混合する第１の工程と、
前記敷料及び家畜糞夫々の体積割合を５０〜８０体積％及び２０〜５０体積％に配合する第２の工程と、
該第２の工程で配合した配合物を、５０〜７０℃で、１〜８時間攪拌する第３の工程と
を含むことを特徴とする堆肥の製造方法。
【発明の詳細な説明】
【技術分野】
【０００１】
本発明は、家畜の床敷として使用する敷料、該敷料の特定の性質を専ら利用する堆肥、前記敷料の製造方法、及び該敷料を使用する堆肥の製造方法に関する。
【背景技術】
【０００２】
従来、鶏、牛、豚などの家畜の飼育は、畜舎の床におが屑又は麦わらなどの敷料を敷いて、家畜の糞を敷料に吸収させることにより行われていた。しかし、糞から発生する悪臭は、畜舎の近隣の住居環境に悪影響を与え、住民からの苦情が家畜の飼育者に多く寄せられていた。また、糞の中に、雑菌、うじ虫などの害虫が発生し、家畜の育成を阻害するという問題があった。
【０００３】
家畜の糞の堆肥化は、糞を畜舎外部の場所で約半年から１年放置することにより行われるため、堆肥化の場所を必要とするとともに、堆肥化に長期間を要した。また、堆肥化の初期段階においては、糞から生じる悪臭の問題があった。また、糞から生じる悪臭を防止するために、糞を焼却した場合でも、焼却後の廃棄処分には環境上の問題があり、糞の廃棄処分は容易ではなかった。
【０００４】
糞から発生する悪臭を防止するために、おが屑、細粒化した木材チップ、及び麦わらなどの敷料に炭を添加し、添加された炭の吸湿性により、悪臭成分であるアンモニアの発生を抑えるものが提案されている。また、糞を処理する方法として、糞混じりの使用済敷料を炭化装置で炭化して、再度敷料に添加する炭として利用するものが提案されている（特許文献１参照）。
【特許文献１】特開２００１−２９２６５１号公報
【発明の開示】
【発明が解決しようとする課題】
【０００５】
しかしながら、特許文献１の例にあっては、敷料に添加した炭により、悪臭成分であるアンモニアの発生を抑止し、カビ毒をもたらすカビの発生を抑えるものの、畜舎内の糞混じりの敷料に発生する虫（例えば、うじ虫など）を抑えることができず、殺虫効果を有する敷料が望まれていた。また、使用済の敷料を再利用するためには、敷料を炭化装置で炭化する必要があり、さらに簡便に処理することが望まれていた。
【０００６】
本発明は、斯かる事情に鑑みてなされたものであり、バーク堆肥と、木炭と、食酢又は食塩を含む調味用原液に梅干を漬けた後の調味液とを配合してあることにより、家畜の糞から発生する悪臭を防止するとともに、殺虫効果及び殺菌効果を有する敷料を提供することを目的とする。
【０００７】
また、本発明の他の目的は、前記バーク堆肥６０〜９０体積％と、木炭１０〜３０体積％と、調味液１〜１０体積％とを配合してあることにより、さらに良好な殺虫効果及び殺菌効果を有する敷料を提供することにある。
【０００８】
また、本発明の他の目的は、弱アルカリ性低張性温泉水を配合してあることにより、家畜が敷料を食べた場合であっても、家畜の飼育に好適な敷料を提供することにある。
【０００９】
また、本発明の他の目的は、バーク堆肥６０〜９０体積％と、木炭１０〜３０体積％とを配合し、１〜３ヶ月の間予備発酵させる第１の工程と、該第１の工程で予備発酵させた配合物を、５０〜８０℃で、８〜２４時間撹拌して一次発酵させる第２の工程と、該第２の工程で一次発酵させた配合物を、常温で３〜１２ヶ月の間二次発酵させる第３の工程と、該第３の工程で二次発酵させた配合物と、食酢又は食塩を含む調味用原液に梅干を漬けた後の調味液１〜１０体積％とを配合し撹拌する第４の工程とを含むことにより、家畜の糞から発生する悪臭を防止するとともに、殺虫効果及び殺菌効果を有する敷料の製造方法を提供することにある。
【００１０】
また、本発明の他の目的は、バーク堆肥６０〜９０体積％と、木炭１０〜３０体積％と、食酢又は食塩を含む調味用原液に梅干を漬けた後の調味液１〜１０体積％とを配合してなる敷料と家畜糞とを配合してあることにより、肥料としてのみならず、土壌改良剤として使用できる堆肥を提供することにある。
【００１１】
また、本発明の他の目的は、前記敷料５０〜８０体積％と、家畜糞２０〜５０体積％とを配合してあることにより、さらに良好な土壌改良剤として使用できる堆肥を提供することにある。
【００１２】
また、本発明の他の目的は、バーク堆肥６０〜９０体積％と、木炭１０〜３０体積％と、食酢又は食塩を含む調味用原液に梅干を漬けた後の調味液１〜１０体積％とを配合してなる敷料を家畜の床敷として使用して、前記敷料と家畜糞とを混合する第１の工程と、前記敷料及び家畜糞夫々の体積割合を５０〜８０体積％及び２０〜５０体積％に配合する第２の工程と、該第２の工程で配合した配合物を、５０〜７０℃で、１〜８時間撹拌する第３の工程とを含むことにより、炭化装置による炭化処理を必要とせず、又は家畜糞を堆肥化するための後処理を必要とせず、使用済敷料をすべて再利用できる堆肥の製造方法を提供することにある。
【課題を解決するための手段】
【００１３】
第１発明に係る敷料は、家畜の床敷として使用する敷料であって、バーク堆肥と、木炭と、食酢又は食塩を含む調味用原液に梅干を漬けた後の調味液とを配合してなることを特徴とする。
【００１４】
第２発明に係る敷料は、第１発明において、前記バーク堆肥６０〜９０体積％と、前記木炭１０〜３０体積％と、前記調味液１〜１０体積％とを配合してなることを特徴とする。
【００１５】
第３発明に係る敷料は、第１発明において、弱アルカリ性低張性温泉水をさらに配合してなることを特徴とする。
【００１６】
第４発明に係る敷料の製造方法は、家畜の床敷として使用する敷料の製造方法であって、バーク堆肥６０〜９０体積％と、木炭１０〜３０体積％とを配合し、１〜３ヶ月の間予備発酵させる第１の工程と、該第１の工程で予備発酵させた配合物を、５０〜８０℃で、８〜２４時間攪拌して一次発酵させる第２の工程と、該第２の工程で一次発酵させた配合物を、常温で３〜１２ヶ月の間二次発酵させる第３の工程と、該第３の工程で二次発酵させた配合物と、食酢又は食塩を含む調味用原液に梅干を漬けた後の調味液１〜１０体積％とを配合し攪拌する第４の工程とを含むことを特徴とする。
【００１７】
第５発明に係る堆肥は、家畜の床敷として使用する敷料と家畜糞とを配合した堆肥において、前記敷料は、バーク堆肥６０〜９０体積％と、木炭１０〜３０体積％と、食酢又は食塩を含む調味用原液に梅干を漬けた後の調味液１〜１０体積％とを配合してなる敷料であることを特徴とする。
【００１８】
第６発明に係る堆肥は、第５発明において、前記敷料５０〜８０体積％と、前記家畜糞２０〜５０体積％とを配合してなることを特徴とする。
【００１９】
第７発明に係る堆肥の製造方法は、堆肥の製造方法であって、バーク堆肥６０〜９０体積％と、木炭１０〜３０体積％と、食酢又は食塩を含む調味用原液に梅干を漬けた後の調味液１〜１０体積％とを配合してなる敷料を家畜の床敷として使用して、前記敷料と家畜糞とを混合する第１の工程と、前記敷料及び家畜糞夫々の体積割合を５０〜８０体積％及び２０〜５０体積％に配合する第２の工程と、該第２の工程で配合した配合物を、５０〜７０℃で、１〜８時間攪拌する第３の工程とを含むことを特徴とする。
【００２０】
第１発明にあっては、間伐材、又は剪定材などの廃棄物から発生する樹皮（バーク）を堆積し発酵させたバーク堆肥と、伐採木、剪定枝、又は伐根などの廃棄物を破砕し、炭化装置で炭化した木炭と、食酢又は食塩を含む調味用原液に梅干を漬けた後に廃棄物として生じる調味液とを配合することにより、バーク堆肥を敷料の基材として使用する。木炭は、水分をほとんど含んでおらず、ミクロ単位の微細孔を有するため、消臭作用があり、畜舎の床敷として使用した場合に、家畜糞から発生する悪臭成分であるアンモニア、又はメタンガスなどを吸着する。また、木炭は、湿度調節作用、及び遠赤外線作用があり、夏場の畜舎内の湿気を除去するとともに、冬場には畜舎内を暖める。また、前記調味液は、梅干を漬けた後の梅エキス（クエン酸、リンゴ酸などの有機酸）、食酢、又は食塩などの有効成分に含まれる殺虫効果及び殺菌効果により、家畜を飼育する際に家畜糞に発生するカビ類、雑菌、又はうじ虫などの害虫の繁殖を防止する。
【００２１】
第２発明にあっては、バーク堆肥６０〜９０体積％と、木炭１０〜３０体積％と、梅干を漬けた後の調味液１〜１０体積％とを配合してある。バーク堆肥の体積比率を、９０体積％を超えて配合した場合には、木炭の体積比率が１０体積％より少なくなり、木炭が有する消臭作用、湿度調節作用、及び遠赤外線作用などの効果が減少する。一方、バーク堆肥の体積比率を、６０体積％より少なく配合した場合には、敷料の基材としてのバーク堆肥の量が少なくなり、同じ畜舎床面積に対して多くの敷料が必要になる。また、調味液の体積比率を、１体積％より少なくした場合には、調味液が有する殺虫効果及び殺菌効果が減少し、カビ類、雑菌、又はうじ虫などの害虫の繁殖を防止することができない。調味液の体積比率を、１０体積％より多くした場合には、調味液は酸性であるため、調味液を含む敷料を家畜が食べた場合に、家畜の体質を体内に尿酸が蓄積される酸性体質にして、家畜の育成上好ましくない。バーク堆肥６０〜９０体積％と、木炭１０〜３０体積％と、調味液１〜１０体積％とを配合することにより、調味液の酸性が木炭により中和され、敷料は、弱アルカリ性になり家畜の育成上好ましく、また、消臭作用及び殺虫効果を持続して有する。
【００２２】
第３発明にあっては、弱アルカリ性低張性温泉なる泉質を有する温泉水を配合することにより、敷料は、陽イオン成分として、ナトリウムイオン、カリウムイオン、又はマグネシウムイオン、陰イオンとして、塩素イオン、又は炭酸水素イオンなどの成分による、胃液分泌、又は胃腸運動促進などの薬理作用を有する。家畜が敷料を食べた場合でも、家畜の育成に好ましい。
【００２３】
第４発明にあっては、バーク堆肥６０〜９０体積％と、木炭１０〜３０体積％とを配合し、１〜３ヶ月の間予備発酵させ、好気性菌の働きにより配合物に含まれる有機物を二酸化炭素と水に分解する。予備発酵の期間が１ヶ月未満である場合は、配合物に含まれる有機物の分解が十分でなく、また、予備発酵の期間が３ヶ月を超える場合は、製造期間が長期化する。予備発酵された配合物を、５０〜８０℃で、８〜２４時間撹拌して一次発酵させ、空気の供給を増加して発酵を促進させる。攪拌時の温度を５０℃より低くした場合は、水分の蒸散が不十分となり、また、病原菌などを死滅させるのに十分ではない。また、攪拌時の温度をあまり高温にすることは、発酵により配合物の内部温度も上昇するため、思わぬ高温になる場合がある。このため、一次発酵時の温度は５０〜８０℃に設定することが好ましい。撹拌時間は、撹拌する配合物の量に応じて設定する。一次発酵された配合物を、常温で３〜１２ヶ月の間二次発酵させ、後熟をして好気的に腐熟する。二次発酵の期間が３ヶ月未満である場合は、配合物の後熟が十分でなく、また、二次発酵の期間が１２ヶ月を超える場合は、後塾の度合いが向上するが製造期間が長期化する。二次発酵させた配合物と、梅干を漬けた後の調味液１〜１０体積％とを配合し撹拌し、酸性の強い前記調味液を木炭と混ぜることにより弱アルカリ性にする。前記木炭は、ミクロ単位の微細孔を有するため、消臭作用を有し、また、湿度調節作用、及び遠赤外線作用を有する。前記調味液は、梅干を漬けた後の梅エキス、食酢、又は食塩などの有効成分により殺虫効果及び殺菌効果を持続して有する。
【００２４】
第５発明にあっては、バーク堆肥６０〜９０体積％と、木炭１０〜３０体積％と、食酢又は食塩を含む調味用原液に梅干を漬けた後の調味液１〜１０体積％とを配合してなる敷料と家畜糞とを配合して、前記敷料に含まれる木炭により、堆肥の炭素成分と家畜糞（特に鶏糞、豚糞）に多く含まれる窒素成分との比率を調整する。
【００２５】
第６発明にあっては、前記敷料５０〜８０体積％と、家畜糞２０〜５０体積％とを配合する。前記敷料の体積割合が５０体積％より少ない場合は、家畜糞に含まれる窒素量が多いため、堆肥を果樹などの作物に使用した場合に、果実の色付き又は糖度に悪影響を及ぼす場合があるとともに、養分過剰となり作物生育が不良になることがある。また、前記敷料の体積割合が８０体積％を超えた場合は、窒素量が少なくなり、肥料としての効果が小さくなる。
【００２６】
第７発明にあっては、バーク堆肥６０〜９０体積％と、木炭１０〜３０体積％と、食酢又は食塩を含む調味用原液に梅干を漬けた後の調味液１〜１０体積％とを配合してなる敷料を家畜の床敷として使用して、家畜が敷料の上を動くことにより前記敷料と家畜がする糞とを混合し、家畜糞から発生する悪臭を吸収し、家畜糞及び敷料に発生する害虫を殺虫し、害虫の発生を抑止する。また、家畜が敷料の上を動くことにより、前記敷料と家畜糞とは適度に撹拌され、好気性を保ちながら発酵する。また、前記敷料は、弱アルカリ性を有するため、家畜糞と混同して微生物活性が最大化し、堆肥化を促進する。家畜の飼育期間における家畜の糞の量に応じて、前記敷料を追加配合することにより、前記敷料及び家畜糞夫々の体積割合を５０〜８０体積％及び２０〜５０体積％に配合し、５０〜７０℃で、１〜８時間撹拌して家畜糞に含まれる水分を取り除き乾燥させて堆肥を作る。攪拌時の温度を５０℃より低くした場合には、十分に水分を取り除くことができない。また、攪拌時の温度を７０度以上にした場合には、高温になりすぎて注意を要する。家畜糞（特に鶏糞、豚糞）は窒素を多く含むため、前記敷料に含まれる木炭により、堆肥の炭素成分と窒素成分との比率を調整する。前記敷料の体積割合が５０体積％より少ない場合は、家畜糞に含まれる窒素量が多いため、堆肥を果樹などの作物に使用した場合に、果実の色付き又は糖度に悪影響を及ぼす場合があるとともに、養分過剰となり作物生育が不良になる場合がある。また、前記敷料の体積割合が８０体積％を超えた場合は、窒素量が少なくなり、肥料としての効果が小さくなる。床敷として使用した敷料は、家畜の飼育期間使用することにより、畜舎内で家畜糞と混合され、家畜の飼育を行いながら肥料及び土壌改良材として利用できる堆肥になる。
【発明の効果】
【００２７】
第１発明にあっては、木炭の消臭作用により、家畜糞から発生するアンモニア、メタンガスなどの悪臭成分を吸収し、畜舎の近隣の住居環境に与える悪影響を防止できる。また、木炭の湿度調節作用及び遠赤外線作用により、夏場の畜舎内の湿気を除去して畜舎内環境を良好にするとともに、冬場には床敷が温まり家畜の育成環境を良好にすることができる。また、調味液に含まれる有効成分により、家畜糞に発生するカビ類、雑菌、うじ虫などの害虫の繁殖を防止することができる。また、バーク堆肥、木炭、梅干を漬けた後の調味液は産業廃棄物であるため、これらの産業廃棄物を有効に再利用することができる。
【００２８】
第２発明及び第４発明にあっては、家畜が敷料を食べた場合でも、家畜の育成上好ましく、また、畜舎内の床に敷料を施設した場合に、家畜糞に含まれるうじ虫又は畜舎外から入ってくる害虫などを駆除することができ、家畜の飼育の間、殺虫効果及び殺菌効果を持続することができる。
【００２９】
第３発明にあっては、温泉水に含まれる有効成分により、家畜の育成を促進することができる。
【００３０】
第５発明にあっては、家畜糞単体の場合に比較して炭素窒素比を増加させることにより、肥料及び土壌改良剤として使用することができる。
【００３１】
第６発明にあっては、さらに良好な肥料及び土壌改良剤として使用することができる。
【００３２】
第７発明にあっては、敷料を畜舎内で使用する間に、家畜糞と混合されて堆肥化を促進して堆肥にすることができ、敷料として使用した後は、炭化装置で炭化することなく堆肥として再利用でき、堆肥化に要する時間も省略することができる。また、家畜糞の後処理をする必要もなく家畜糞の廃棄処分の必要がない。
【発明を実施するための最良の形態】
【００３３】
実施の形態１
以下、本発明をその実施の形態を示す図面に基づいて説明する。本発明に係る敷料は、バーク堆肥６０〜９０体積％と、木炭１０〜３０体積％とを配合し発酵させ、さらに食酢又は食塩を含む調味用原液に梅干を漬けた後の調味液１〜１０体積％を配合して撹拌することにより得られるものである。
【００３４】
バーク堆肥は、間伐材、又は剪定材などの廃棄物から発生する樹皮（バーク）を堆積し発酵させたものであり、敷料の基材となるものである。
【００３５】
木炭は、伐採木、剪定枝、又は伐根などの廃棄物を破砕して乾燥させ、乾燥した前記廃棄物を炭化装置により８００〜１０００℃の温度で炭化したものである。木炭は、ミクロ単位の微細孔を有するため消臭作用があり、湿度調節作用、遠赤外線作用などの性質を有する。
【００３６】
梅干を漬けるための調味用原液は、食酢、食塩、酸味料、酒精などの有効成分にアミノ酸を含む調味液、甘味料などを加えたものである。調味用原液に梅干を漬けた後に廃棄物として生じる調味液は、上述の食酢、食塩、酸味料、酒精などの成分に、梅エキス（クエン酸、リンゴ酸などの有機酸）が混合した有効成分を含有する。梅干を漬けた後に廃棄物として生じる調味液に含まれる上述の有効成分により、家畜の育成を阻害する害虫、雑菌、カビ類などの繁殖を防止する。
【００３７】
図１は、本発明に係る敷料の製造方法を示すフローチャートである。バーク堆肥６０〜９０体積％と、木炭１０〜３０体積％とを配合し（ステップＳ１０）、１〜３ヶ月の間、堆積させた状態で放置して予備発酵させる（ステップＳ１１）。このとき、好気性菌の働きを活発化して有機物の分解を促進するための酸素を十分に供給するために、最初の１ヶ月は１週間に１回程度、その後は月に１回程度、切り返しを行う。
【００３８】
次に、予備発酵させた配合物を５０〜８０℃で、８〜２４時間撹拌して一次発酵させる（ステップＳ１２）。このとき、高速撹拌機を使用し、空気を配合物に送り込みながら撹拌し、配合物内部の空気及び水分が均一になるようにして発酵を促進する。なお、撹拌時間は、撹拌する配合物の量に応じて設定でき、配合物の量が少ない場合には、８時間程度の撹拌で十分である。また、攪拌時の温度を５０℃より低くした場合は、水分の蒸散が不十分となり、また、病原菌などを死滅させるのに十分ではない。また、攪拌時の温度をあまり高温にすることは、発酵により配合物の内部温度も上昇するため、思わぬ高温になる場合がある。
【００３９】
一次発酵させた配合物を常温で３〜１２ヶ月の間放置して二次発酵させ（ステップＳ１３）、配合物を後熟して好気的に腐熟する。このときに、月に１回程度切り返しを行う。二次発酵させた配合物に、梅干を漬けた後の調味液１〜１０体積％を配合し撹拌する（ステップＳ１４）。これにより、本発明に係る敷料が得られる。
【００４０】
表１に、この敷料の組成を調べた結果を示す。この敷料は、バーク堆肥を７８．０体積％、木炭を１９．５体積％、梅干を漬けた後の調味液を２．５体積％配合して得られたものである。
【００４１】
【表１】
0003605679.tif 000002
【００４２】
表１に示すように、本発明の敷料は、木炭によって炭素の含有量が多く、消臭作用、湿度調節作用、遠赤外線作用などの性質を有する。さらに、梅干を漬けた後の調味液は、梅エキス（クエン酸、リンゴ酸）、食酢、食塩、酸味料、酒精などの有効成分を含有する。
【００４３】
以上のように、本発明の敷料は、敷料の基材としてのバーク堆肥に木炭及び梅干を漬けた後の調味液を含むので、殺虫効果、殺菌効果などの性質を持続して有する。畜舎の床敷として、本発明の敷料を使用した場合には、家畜糞に混入したうじ虫、害虫などの繁殖を抑止し、また、カビ類、雑菌などの繁殖も防止できる。略１００坪の敷地面積を有する鶏舎に、本発明の敷料を平均高さ約５ｃｍで敷設したところ、敷設後１日以内に鶏糞に混入した害虫を殺虫することができ、約８０日間に亘る鶏の飼育期間の間、害虫の発生を防止することができた。
【００４４】
また、本発明の敷料は、炭素窒素比（Ｃ／Ｎ）が「５１」と大きい値を示し、土壌改良剤としての性質も有する。
【００４５】
また、本発明の敷料は、産業廃棄物であるバーク堆肥、木炭、梅干を漬けた後の調味液を配合したものであるため、産業廃棄物の廃棄処理が不要となり、廃棄処理に要する費用を低減できるとともに、産業廃棄物を有効に再利用することができる。
【００４６】
上述の実施の形態においては、バーク堆肥を７８．０体積％、木炭を１９．５体積％、梅干を漬けた後の調味液を２．５体積％配合した場合について説明しているが、これに限定されるものではない。但し、バーク堆肥６０〜９０体積％と、木炭１０〜３０体積％と、調味液１〜１０体積％とを配合した場合、敷料は、調味液の酸性が木炭により中和され、弱アルカリ性になり家畜の育成上好ましく、また、消臭作用及び殺虫効果を持続して有するので、この割合で配合するのが好ましい。
【００４７】
上述の実施の形態においては、鶏舎に使用した場合について説明しているが、これに限定されるものではなく、豚、牛などの家畜用の敷料としても使用することができる。
【００４８】
実施の形態２
上述の実施の形態においては、バーク堆肥と、木炭と、梅干を漬けた後の調味液とを配合するものであるが、さらに、弱アルカリ性低張性温泉水を配合することにより、陽イオン成分として、ナトリウムイオン、カリウムイオン、又はマグネシウムイオン、陰イオンとして、塩素イオン、又は炭酸水素イオンなどの成分が含まれ、胃液分泌、又は胃腸運動促進などの薬理作用を有し、家畜が敷料を食べた場合であっても、家畜の飼育に好適な敷料を得ることができる。
【００４９】
表２乃至表４に、弱アルカリ性低張性温泉水１ｋｇ中に含まれる陽イオン成分の一例、陰イオン成分の一例、及び遊離成分の一例を示す。なお、温泉水は、バーク堆肥と、木炭と、梅干を漬けた後の調味液とを配合した配合物に対して、前記調味液と同程度の量を加えることができる。
【００５０】
【表２】
0003605679.tif 000003
【００５１】
【表３】
0003605679.tif 000004
【００５２】
【表４】
0003605679.tif 000005
【００５３】
表２、３に示すように、本発明の弱アルカリ性低張性温泉水では、特に、ナトリウムイオン、塩素イオン、炭酸水素イオンが多く含まれ、また、表４に示すように、遊離成分総計は、約２．９ｇ／ｋｇである。なお、陽イオン及び陰イオンの成分量は、これに限定されるものではない。
【００５４】
実施の形態３
次に、実施の形態１における敷料の性質を利用した堆肥について説明する。本発明に係る堆肥は、バーク堆肥６０〜９０体積％と、木炭１０〜３０体積％と、梅干を漬けた後の調味液１〜１０体積％とを配合してなる敷料５０〜８０体積％と、鶏糞２０〜５０体積％とを配合して得られるものである。
【００５５】
図２は、本発明に係る堆肥の製造方法を示すフローチャートである。バーク堆肥６０〜９０体積％と、木炭１０〜３０体積％と、梅干を漬けた後の調味液１〜１０体積％とを配合してなる敷料を鶏舎の床敷として敷設し、前記敷料と鶏がする鶏糞を混合させ（ステップＳ２０）、鶏が敷料の上を動くことにより前記敷料と鶏糞とを撹拌させる（ステップＳ２１）。このとき、飼育する鶏の数に応じて、前記敷料を平均高さ３〜７ｃｍとなるように敷設する。
【００５６】
鶏の飼育期間が長くなるに応じて前記敷料と混合される鶏がする鶏糞の量は増加するため、前記敷料を追加配合することにより、前記敷料と鶏糞との体積割合を５０〜８０体積％及び２０〜５０体積％に配合する（ステップＳ２２）。
【００５７】
前記敷料が使用済である場合は（ステップＳ２３でＹＥＳ）、鶏舎から鶏糞が混じった敷料を取り出し、５０〜７０℃で、１〜８時間撹拌し（ステップＳ２４）、鶏糞及び前記敷料に含まれる水分を取り除き乾燥させる。これにより、本発明の堆肥が得られる。なお、攪拌時の温度を５０℃より低くした場合には、十分に水分を取り除くことができない。また、攪拌時の温度を７０度以上にした場合には、高温になりすぎて注意を要する。
【００５８】
ステップＳ２３において、敷料が使用済でない場合（ステップＳ２３でＮＯ）は、ステップＳ２０以降の処理を続ける。
【００５９】
表５に、この堆肥の組成を調べた結果を示す。この堆肥は、バーク堆肥を７８．０体積％、木炭を１９．５体積％、梅干を漬けた後の調味液を２．５体積％配合した敷料を約８０日間鶏舎に敷設し、敷料７０体積％と鶏糞３０体積％とを配合して得られたものである。
【００６０】
【表５】
0003605679.tif 000006
【００６１】
表５に示すように、窒素、りん酸、酸化カリウム夫々の乾物当たりの値は、１％以上あり、肥料としての効果を有する。また、鶏糞単体の堆肥の炭素窒素比が６〜８であるのに対し、本発明の堆肥の炭素窒素比は１８であり、鶏糞単体を堆肥化した場合に比較して、炭素窒素比が大きく、土壌改良剤としも有効な堆肥が得られ、前記敷料を堆肥として利用することができる。
【００６２】
次に、本発明の堆肥に使用した敷料を用いて小松菜の栽培試験をした結果を示す。この敷料は、バーク堆肥を７８．０体積％、木炭を１９．５体積％、梅干を漬けた後の調味液を２．５体積％配合して得られたものである。土壌は、千葉県八街市で採取した表層腐植質黒ボク土で、土性ＳｉＬの洪積土、ｐＨ５．８、交換酸度０．６、電気伝導度０．０８ｄＳ／ｍ、陽イオン変換容量２８．０ｍｅｑ／乾土１００ｇ、容積重０．６９ｇ／ｍｌ、最大容水量１０１重量％／乾土のものを用いた。
【００６３】
表６は、試験区及び施肥の設計を示した表である。
【００６４】
【表６】
0003605679.tif 000007
【００６５】
本発明の敷料に含まれるＮは、乾物換算値で２％以下であるため、本発明の敷料の施用量は、その乾物重量を基準に設定してある。本発明の敷料の無施肥として設けた無機基礎量区においては、Ｎ、Ｐ2 Ｏ5 、Ｋ2 Ｏとして、それぞれ２５ｍｇに相当する量の硫酸アンモニア、過りん酸石灰及び塩化カリウムを施用した。表６の施用量欄中の括弧内の数字は、有姿（含水物）量を示す。
【００６６】
表７は、表６の各試験区の発芽調査成績及び生育調査成績を調べた結果を示す。
【００６７】
【表７】
0003605679.tif 000008
【００６８】
表７より、本発明の敷料を施肥した各試験区においては、無機基礎量区と比較して、発芽については発芽開始日及び発芽率とも同等の成績を示し、発芽後の生育においては、同等あるいは同等以上の成績を示し、植物の成長を良好に促進できることが判った。また、小松菜の生育上の異常症状は認められなかった。
【００６９】
以上のように、本発明の堆肥は、本発明の敷料を鶏舎の敷料として使用する間に、前記敷料と、鶏がする鶏糞とを混合し、前記敷料及び鶏糞夫々の体積割合を７０体積％及び３０体積％に配合して堆肥化し、５０〜７０℃で、１〜８時間撹拌することにより得られる。このため、前記敷料をすべて堆肥として再利用することができるとともに、敷料として使用する間に堆肥化することができるため、使用済の敷料を後処理する必要がなく、堆肥化に要する時間を低減することができ、また堆肥化をするための場所も不要である。
【００７０】
また、本発明の敷料と鶏糞とを配合することにより、鶏糞単体を堆肥化した場合に得られる炭素窒素比が小さい堆肥に比べて、本発明の堆肥は、炭素窒素比が大きく、肥料としてのみならず、土壌改良剤としても使用できる堆肥が得られる。前記敷料の体積割合が５０体積％より少ない場合は、鶏糞に含まれる窒素量が多いため、堆肥を果樹などの作物に使用した場合に、果実の色付き又は糖度に悪影響を及ぼす場合があるとともに、養分過剰となり作物生育が不良になる場合がある。また、前記敷料の体積割合が８０体積％を超えた場合は、窒素量が少なくなり、肥料としての効果が小さくなる。
【００７１】
また、本発明の堆肥に含まれる敷料は、植物の成長を良好に促進できるとともに、植物に対する害が無いことも認められた。
【００７２】
上述の実施の形態においては、敷料を７０体積％、鶏糞を３０体積％配合した場合について説明しているが、これに限定されるものではない。但し、前記敷料と鶏糞との体積割合を５０〜８０体積％及び２０〜５０体積％に配合した場合、作物生育に良好であるとともに、肥料としての効果を有するので、この割合で配合するのが好ましい。
【００７３】
上述の実施の形態においては、本発明の敷料を鶏糞と配合した場合について説明しているが、これに限定されるものではなく、豚、牛などの家畜糞と配合することができる。なお、この場合には、各家畜糞に応じて、前記敷料と家畜糞との配合を設定することができる。
【図面の簡単な説明】
【００７４】
【図１】本発明に係る敷料の製造方法を示すフローチャートである。
【図２】本発明に係る堆肥の製造方法を示すフローチャートである。
【要約】
【課題】  殺虫効果、殺菌効果を有する敷料、該敷料を再利用できる堆肥、前記敷料及び堆肥の製造方法を提供する。
【解決手段】  バーク堆肥６０〜９０体積％と、木炭１０〜３０体積％とを配合し（ステップＳ１０）、１〜３ヶ月の間、堆積させた状態で放置して予備発酵させ（ステップＳ１１）、予備発酵させた配合物を５０〜８０℃で、８〜２４時間撹拌して一次発酵させ（ステップＳ１２）、一次発酵させた配合物を常温で３〜１２ヶ月の間放置して二次発酵させ（ステップＳ１３）、二次発酵させた配合物に、食酢又は食塩を含む調味用原液に梅干を漬けた後の調味液１〜１０体積％を配合し撹拌する（ステップＳ１４）。
【選択図】        図１
【図１】
0003605679.tif 000009
【図２】
0003605679.tif 000010